【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
酸化剤および香料組成物を含んで成る消費財であって、香料全量に基づいた重量％で表して、含まれる香料の少なくとも５０重量％が、下記種類の物質：
・飽和アルコール
・飽和エステル
・飽和エーテル
・飽和置換基含有芳香族化合物
・ニトリル
・飽和アセタール
・飽和ヘミアセタール
の少なくとも１つに帰因し得る香料から選択される消費財。
【請求項２】
酸化剤が、好ましくは酸素に基づいた、酸化漂白剤、特に好ましくは過カルボン酸である、請求項１に記載の消費財。
【請求項３】
過カルボン酸を含み、該過カルボン酸が、有利には、モノ−およびジ−過カルボン酸、特にドデカンジペルオキソ酸または好ましくはイミド過カルボン酸、好適には６−フタルイミド過カプロン酸（６−フタルイミド過ヘキサン酸、ＰＡＰ）から選択され、および／または該過カルボン酸が大気圧下で２５℃超、特に３５℃超、好ましくは４５℃超、好適には５０℃超、特に好ましくは１００℃超の融点を有する、請求項２に記載の消費財。
【請求項４】
酸化剤、特に過カルボン酸が、本質的に粒子状であり、好ましくは被覆されており、被膜の重量が、有利には、酸化剤を含む粒子全体、好ましくは顆粒に基づいて０．１〜３０重量％である、請求項１〜３のいずれかに記載の消費財。
【請求項５】
消費財全体に各々基づいて、少なくとも０．０１重量％の界面活性剤、特に、好ましくは０．１〜３０重量％の割合でアニオン性界面活性剤、および／または好ましくは０．１〜３０重量％の割合で非イオン性界面活性剤を含む、請求項１〜４のいずれかに記載の消費財。
【請求項６】
消費財が、消費財全体に基づいて好ましくは少なくとも０．１重量％、有利には少なくとも３重量％、特に５〜３０重量％の割合で、電解質、特に有機および／または無機塩、とりわけリン酸塩、クエン酸塩および／または硫酸塩、特に好ましくは硫酸ナトリウムを含む、請求項１〜５のいずれかに記載の消費財。
【請求項７】
消費財が、消費財全体に基づいて好ましくは３０重量％まで、特に０〜１０重量％の割合で、特に、
ａ）窒素不含有錯体形成物、例えば好ましくは、アルカリ金属ポリホスホン酸塩、モノ−またはポリ−ホスホン酸、特に、１−ヒドロキシエチリデン−１，１−ジホスホン酸（ＨＥＤＰ）、クエン酸および／または短鎖ジカルボン酸、および／または
ｂ）キノリンおよび／またはその塩、ピコリン酸およびジピコリン酸、エチレンジアミン四酢酸（ＥＤＴＡ）、ジエチレントリアミンペンタ（メチレンホスホン酸）（ＤＴＰＭＰ）、アザシクロヘプタンジホスホネート（ＡＨＰ）、ニトリロ三酢酸（ＮＴＡ）、アミノポリカルボン酸、アミノヒドロキシポリカルボン酸、ポリホスホン酸およびアミノポリホスホン酸から成る群から選択される錯化剤
を含み得る錯化剤を含有する、請求項１〜６のいずれかに記載の消費財。
【請求項８】
消費財が、各々の場合、消費財全体に基づいて好ましくは０〜１０重量％の割合で、酵素を含む、請求項１〜７のいずれかに記載の消費財。
【請求項９】
消費財が、ビルダー、特に脂肪酸、好ましくは飽和および／または分枝脂肪酸、特に３０℃未満の融点を有するもの、および／またはクエン酸および／またはクエン酸塩を、好ましくは０〜１５重量％の割合で、および／またはポリアクリレートを、好ましくは０〜１５重量％の割合で、および／またはホスホネートを含み、各々の場合において重量％の記載が消費財全体に基づく、請求項１〜８のいずれかに記載の消費財。
【請求項１０】
消費財が、少なくとも本質的にハロゲン化物イオン、特に塩化物イオンを含まず、ハロゲン化物イオン、特に塩化物イオンの割合が有利には５００ｐｐｍ以下、好ましくは１００ｐｐｍ以下、特に３０ｐｐｍ以下である、請求項１〜９のいずれかに記載の消費財。
【請求項１１】
各々の場合、消費財中の香料全量に基づいた重量％で表して、含まれる香料の、３０重量％未満、好ましくは２０重量％未満、有利には１５重量％未満、より有利には１０重量％未満、更に有利には５重量％未満、より有利には３重量％未満、更に有利には２重量％未満、より有利には１重量％未満、特に０．５重量％未満、とりわけ０重量％が、アルデヒド官能基（ＲＣＨ＝Ｏ）および／またはケト基（ＲＲ’Ｃ＝Ｏ）を有する香料から選択される、請求項１〜１０のいずれかに記載の消費財。
【請求項１２】
消費財が液体状、好ましくは含水状または不含水状、有利には分散液、好ましくはエマルションまたは懸濁液である、請求項１〜１１のいずれかに記載の消費財。
【請求項１３】
７以下のｐＨ、特に３．５〜７のｐＨ、好ましくは４．０〜６．５のｐＨ、特に好ましくは４．５〜６のｐＨ、極めて好ましくは約５のｐＨを有する、請求項１〜１２のいずれかに記載の消費財。
【請求項１４】
固体、好ましくは粉体である、請求項１〜１１のいずれかに記載の消費財。
【請求項１５】
本発明の消費財中の香料組成物が、香料全体に基づいた重量％で表して、少なくとも５０重量％、少なくとも６０重量％、少なくとも７０重量％、少なくとも８０重量％、少なくとも９０重量％、少なくとも９１重量％、好ましくは少なくとも９２重量％、有利には少なくとも９４重量％、より有利には少なくとも９６重量％、更に有利には少なくとも９８重量％、より有利には少なくとも９９重量％、特に１００重量％の下記群から選択される香料を含む、請求項１〜１４のいずれかに記載の消費財：シトロニトリル、ｏ−ｔ−ブチルシクロヘキシルアセテート、サリチル酸シクロヘキシル、（＋）−（１’Ｒ，３Ｓ，６’Ｓ）−１−（２’，２’，６’−トリメチル−１’−シクロヘキシル）−３−ヘキサノール、（−）−（１’Ｓ，３Ｒ，６’Ｒ）−１−（２’，２’，６’−トリメチル−１’−シクロヘキシル）−３−ヘキサノール、（＋）−（１’Ｒ，３Ｒ，６’Ｓ）−１−（２’，２’，６’−トリメチル−１’−シクロヘキシル）−３−ヘキサノール、（−）−（１’Ｓ，３Ｓ，６’Ｒ）−１−（２’，２’，６’−トリメチル−１’−シクロヘキシル）−３−ヘキサノール、フェニルエチルアルコール、２−シクロヘキシリデン−２−フェニルアセトニトリル、デカヒドロ−ｂ−ナフチルアセテート、ｐ−クレシルアセテート、メチルフェニルアセテート、アリルアミルグリコレート、酢酸ベンジル、シクロヘキシルエチルアセテート、エチル−２−シクロヘキシルプロピオネート、フェニルエチルアセテート、シクロペンチリデン酢酸メチルエステル［CAS番号：0040203-73-4］、アリル（シクロヘキシルオキシ）アセテート、２，４−ジメチル−１，３−ジオキソラン−２−酢酸エチルエステル、３，１２−トリデカジエンニトリル、酢酸アミル、酢酸イソアミル、フェニル酢酸エチル、２−プロペニルフェノキシアセテート、酢酸イソボルニル、ジメチルベンジルカルビニルアセテート、酢酸ヘキシル、イソブチルフェニルアセテート、シス−ｐ−ｔ−ブチルシクロヘキシルアセテート、トランス−ｐ−ｔ−ブチルシクロヘキシルアセテート、ヒドロシンナミルアルコール、２，６−ジメチルヘプタン−２−オール、デカノール、オクタノール、２，６−ジメチルビシクロ−［４．４．０］−デカン−１−オール（ジプロピレングリコール中０．１％）、テトラヒドロムグオール［＝テトラヒドロリナロール（３，７−ジメチルオクタン−３−オール）／テトラヒドロミルセノール（２，６−ジメチル−２−オクタノール）混合物（１：１）］、ジヒドロテルピネオール、α，３，３−トリメチルシクロヘキシルメチルホルメート、オクタノール−３、ヘキサノール、２，２，６−トリメチル−α−プロピルシクロヘキサンプロパノール、デカヒドロ−ｂ−ナフチルホルメート、（１’Ｓ，１”Ｓ，２’Ｓ，３”Ｒ，５”Ｒ）−［１−メチル−２−（１，２，２−トリメチルビシクロ［３．１．０］−ヘキサ−３−イルメチル）シクロプロピル］メタノール、（１’Ｒ，１”Ｒ，２’Ｒ，３”Ｓ，５”Ｓ）−［１−メチル−２−（１，２，２−トリメチルビシクロ［３．１．０］−ヘキサ−３−イルメチル）シクロプロピル］メタノール、（１’Ｒ，１”Ｓ，２’Ｒ，３”Ｒ，５”Ｒ）−［１−メチル−２−（１，２��２−トリメチルビシクロ［３．１．０］−ヘキサ−３−イルメチル）シクロプロピル］メタノール、（１’Ｓ，１”Ｒ，２’Ｓ，３”Ｓ，５”Ｓ）−［１−メチル−２−（１，２，２−トリメチルビシクロ［３．１．０］−ヘキサ−３−イルメチル）シクロプロピル］メタノール、ボルネオール、ジプロピレングリコール、テトラヒドロゲラニオール、テトラヒドロリナロール、２，２，６−トリメチル−α−プロピルシクロヘキサンプロパノール（Timberol forte）、α−メチル−４−（１−メチルエチル）シクロヘキサンメタノール、イソシクロゲラニオール、フェンチルアルコール、（−）−（２Ｒ，４Ｓ）−２−イソブチル−４−メチルテトラヒドロ−２Ｈ−ピラン−４−オール、（＋）−（２Ｓ，４Ｒ）−２−イソブチル−４−メチルテトラヒドロ−２Ｈ−ピラン−４−オール、（＋）−（２Ｓ，４Ｓ）−２−イソブチル−４−メチルテトラヒドロ−２Ｈ−ピラン−４−オール、（−）−（２Ｒ，４Ｒ）−２−イソブチル−４−メチルテトラヒドロ−２Ｈ−ピラン−４−オール、安息香酸メチル、安息香酸エチル、サリチル酸メチル、プロピオン酸アミル、２，６，６−トリメチル−１，３−シクロヘキサジエン−１−カルボン酸エチルエステル、プロピオン酸ベンジル、サリチル酸エチル、２−メトキシ−４−ホルミル−フェニルイソブチレート（Isobutavan）、カプリル酸エチル、カプロン酸アリル、２−メチル−２−ブテン酸 ２−メチルプロピルエステル、２−エチルエチルヘキサノエート（Irotyl）、２−メチルペンタン酸 ２−メチルペンチルエステル、ジャスマシクレート、２，５−ジメチル−４，６−ジヒドロキシ安息香酸メチルエステル、２−メチル吉草酸エチル、ヘプタン酸 ２−プロペニルエステル（アリルヘプタノエート−アリルエナンテート）、アントラニル酸メチル、フェニル酢酸、アリルシクロヘキシルプロピオネート、２−ノニン酸メチルエステル、サリチル酸シクロヘキシル、２−ｔ−ブチル−シクロヘキシルエチルカーボネート、２，２，４−トリメチルカプロン酸エチルエステル、エチルエステルラブダナム抽出物（Ambrarome）、酢酸スチリル、ヒドロキノンジメチルエーテル、ジフェニルエーテル、ｐ−クレシルメチルエーテル、ｐ−シメン、フェニルエチルイソアミルエーテル、フェニルエチルメチルエーテル、４−イソプロピル−５，５−ジメチル−１，３−ジオキサン、２，２，５，５−テトラメチル−４−イソプロピル−１，３−ジオキサン、５−メチル−５−プロピル−２−（１−メチルブチル）−１，３−ジオキサン、アネトール、２−フェニル−プロピオンアルデヒドジメチルアセタール、フランビノンメチルエーテル、クマリン、イソクマリン、アセトフェノン、１，１，２，３，３−ペンタメチル−６，７−ジヒドロ−４（５Ｈ）−インダノン、γ−オクタラクトン、エチルアミルケトン、合成カンファー、オキサシクロ−ヘプタデセ−８−エン−２−オン、２−ヘプチルシクロペンタノン、２−（１−メチルプロピル）−シクロヘキサノン、４−ｔ−ブチル−２，６−ジメチルアセトフェノン、シクロペンタデカノリド、３−メチルシクロペンタデカノン、ジヒドロジャスモン、ジヒドロ−イソ−ジャスモン、γ−デカラクトン、メチルオクタラクトン、１，４−ジオキサシクロヘキサデカン−５，１６−ジオン、４−（２−ブテニリデン）−３，５，５−トリメチル−２−シクロヘキセン−１−オン、エチル−２，２，６−トリメチルシクロヘキサンカルボキシレート、桂皮酸ニトリル、ラウリン酸ニトリル、ヒドロシトロニトリル、２−ベンジル−２−メチル−３−ブテンニトリル、３−メチルドデカノニトリル、シトロニトリル、トリデセン−２−ニトリル、＊３（４，７，７−トリメチルビシクロ［４．１．０］ヘプト−３−イル−２−プロペニルニトリル、Irolene p、８−α−１２−オキシド−１３，１４，１５，１６−テトラノルラブダン、３，３，５−トリメチルシクロヘキシルエチルエーテル、Irival（７０％の４−ｔ−ペンチルシクロヘキサノン、１０％の白色鉱油、１０％のノン−２−エンニトリル、１０％のセバシン酸ジブチル）、イソブチルキノリン、５−エチリデンビシクロ［２．２．１］−２−ヘプテン−２−メトキシフェノール付加物、メチルブチル−２ プロピオネート、インデノ［１，２−ｄ］−テトラヒドロ−１，３−ジオキサン、ドデカヒドロ−３ａ，６，６，９ａ−テトラメチルナフト（２，１−ｂ）−フラン、２，４−ジメチル−４−フェニルテトラヒドロフラン、スピロ［１，３−ジオキソラン−２，５’−（４’，４’，８’，８’−テトラメチルヘキサヒドロ−３’，９’−メタノナフタレン）］、メチルジヒドロジャスモネート、メチル ３−オキソ−２−ペンチルシクロペンタンアセテート、ｏ−（アリルオキシ）アニソール、ジヒドロミルセノール、９−デセン−１−オール、テトラヒドロミルセノール、ヘキサヒドロ−４，７−メタノインデン−６−イルアセテート、２−フェノキシエチルイソブチレート、２−メチルプロペン酸 １，３−ジメチル−３−ブテニルエステル、ｐ−メチルアセトフェノン、４−フェニル−２−ブタノン、１−（５，５−ジメチル−１−シクロヘキセン−１−イル）−４−ペンテン−１−オン、３−ヒドロキシ−１−メチル−４−イソプロピルベンゼン（CAS番号：89-83-8）。